(57)【特許請求の範囲】
【請求項１】
印刷位置を経由する搬送経路に沿って長尺の記録媒体を搬送する搬送機構と、
前記印刷位置において前記記録媒体に印刷を行う記録ヘッドと、
前記搬送経路における前記印刷位置の下流側の切断位置において前記記録媒体を切断するオートカッターと、
前記搬送経路における前記切断位置の下流側の転写位置において、当該転写位置を通過する前記記録媒体に剥離フィルムに塗布された粘着剤を転写する粘着剤転写機構と、
前記搬送経路における前記切断位置よりも上流側の第１搬送位置において前記記録媒体を搬送する第１搬送ローラーと、
前記転写位置において前記記録媒体を搬送する第２搬送ローラーと、
を有するプリンターであって、
前記粘着剤転写機構は、
前記剥離フィルムが粘着剤塗布面を外側に向けて掛け渡され、前記第２搬送ローラーと同軸状態に取り付けられている転写ローラーと、
当該転写ローラーに前記剥離フィルムを繰り出す供給部と、
前記転写ローラーを経由した前記剥離フィルムを巻き取る巻き取り部と、
前記転写ローラーのローラー面に対峙している押圧部材を当該ローラー面に向けて前進または後退させることにより、前記粘着剤塗布面に前記記録媒体を圧接する圧接状態、および、前記粘着剤塗布面に前記記録媒体を圧接しない非圧接状態を形成する押圧機構とを備え、
前記第１搬送ローラーと前記第２搬送ローラーは連動して回転し、前記第２搬送ローラーと前記転写ローラーが一体回転することを特徴とするプリンター。
【請求項２】
請求項１において、
前記搬送経路における前記転写位置の上流側に配置された記録媒体検出用のセンサーと、
当該センサーの検出結果に基づき、前記押圧機構を前記圧接状態あるいは前記非圧接状態に切り換える制御部とを備えることを特徴とするプリンター。
【請求項３】
請求項２において、
前記制御部は、前記押圧機構を前記圧接状態と前記非圧接状態に所定時間毎に交互に切り換えることを特徴とするプリンター。
【請求項４】
請求項２において、
前記第２搬送ローラーを前記第１搬送ローラーの回転に連動して回転させる接続状態と、前記第２搬送ローラーを前記第１搬送ローラーの回転に連動させない非接続状態と、に切換可能なクラッチ手段を備えることを特徴とするプリンター。
【請求項５】
請求項１において、
前記第２搬送ローラーは、前記転写ローラーを挟んで、前記転写ローラーの回転軸の一端側および他端側に取り付けられており、前記転写位置における前記記録媒体の幅方向の通過領域内に配置されていることを特徴とするプリンター。
【請求項６】
請求項１ないし５のいずれかの項において、
前記粘着剤転写機構を、プリンター本体における前記切断位置の下流側に着脱可能な粘着剤付加ユニットとして構成したことを特徴とするプリンター。
【請求項７】
請求項６に記載のプリンターが備える粘着剤付加ユニット。
【請求項８】
請求項１に記載されたプリンターの粘着ラベルの作成方法であって、
長尺の記録媒体をプリンター内の搬送経路に沿って搬送しながら、前記記録媒体の表面に印刷を行うと共に、印刷済みの前記記録媒体の部分を印刷位置の下流側において自動切断し、
当該自動切断の実施前、あるいは、自動切断の実施後に、前記搬送経路における前記記録媒体の切断位置の下流側において、転写ローラーに掛け渡された剥離フィルムの粘着剤塗布面に、前記記録媒体の裏面を圧接する圧接状態を形成し、
切断前の前記記録媒体を前記プリンターの搬送機構により自動搬送する動作、あるいは、切断済みの記録媒体片を手動で下流側へ引っ張る動作を行うことにより、前記圧接状態が維持されている間に前記転写位置を通過する前記記録媒体の部分に前記剥離フィルムの粘着剤を転写することを特徴とする粘着ラベルの作成方法。
【請求項９】
請求項８において、
前記転写位置の上流側において前記記録媒体の有無を検出し、
当該検出した前記記録媒体の有無に基づき、前記圧接状態および前記非圧接状態を形成することを特徴とする粘着ラベルの作成方法。
【請求項１０】
請求項９において、
前記記録媒体が検出されている間は、前記転写位置において、前記圧接状態、および、
前記粘着剤塗布面を前記記録媒体の裏面に圧接していない非圧接状態を所定時間毎に交互
に形成することを特徴とする粘着ラベルの作成方法。
【請求項１１】
請求項８ないし１０のいずれかの項において、
前記記録媒体として、普通紙を用いることを特徴とする粘着ラベルの作成方法。
【発明の詳細な説明】
【技術分野】
【０００１】
本発明は、粘着ラベルの作成方法および粘着ラベルを作成するための装置に関し、特に、記録紙に粘着部分を形成するための粘着剤付加ユニットおよびこれを備えるプリンター、ならびに、印刷後の記録紙に粘着部分を形成する粘着ラベルの作成方法に関する。
【背景技術】
【０００２】
従来から、粘着ラベルの作成において、帯状の剥離紙からなる台紙に粘着面を有するラベルを貼り付けたラベル紙が用いられている。また、このような台紙付きのラベル紙は台紙部分がゴミとなってしまうことから、台紙を省略したライナレスタイプのラベル紙が用いられている。特許文献１には、裏面に粘着剤を塗布したライナレスタイプのラベル紙の表面に印刷を行い、印刷済みの部分を切断してラベルを発行するプリンターが開示されている。
【０００３】
また、ライナレスタイプのラベル紙として、加熱によって活性化する感熱性粘着剤層を裏面に設けたものが用いられている。特許文献２には、このような感熱粘着ラベル紙（ディレードタック紙）に印刷を行い、オートカッターで切断した後にヒーターで加熱して粘着性を発現させるプリンターが開示されている。
【先行技術文献】
【特許文献】
【０００４】
【特許文献１】特開２００３−０８９２４７号公報
【特許文献２】特開２００４−０３５０４３号公報
【発明の概要】
【発明が解決しようとする課題】
【０００５】
特許文献１に記載のラベル紙は、粘着面が露出しているため、プリンターにセットしやすいようにロール状に巻かれる際に、印刷面に剥離成分を塗布して剥がれ易くしてある。このため、ロールから引き出したラベル紙をプリンター内の紙経路にセットして搬送しながら印刷すると、剥離成分が印刷面から剥がれ落ちてヘッドに堆積し、印刷の不具合を引き起こすおそれがある。また、粘着剤がヘッドや紙経路、カッターなどに付着して紙ジャムなどを引き起こすおそれがある。これを抑制するためには、ヘッドや紙経路、カッターなどに非粘着処理を施すか、粘着剤除去機構を設けておく必要がある。あるいは、定期的にメンテナンスを行って、付着した粘着剤や堆積した剥離成分を除去する必要がある。よって、装置コストが増大するか、あるいは、メンテナンスの負担が大きくなるという問題点がある。
【０００６】
一方、特許文献２に記載のような感熱タイプのラベル紙を用いてラベル切断後に粘着性を発現させる場合、プリンター内に加熱のための大掛かりな発熱機構や電源を設ける必要がある。よって、装置が大型化し、装置コストが増大してしまう。
【０００７】
また、特許文献１、２に記載されたようなライナレスタイプのラベル紙は、台紙を省略しているものの、予め粘着剤層を形成してあるため、普通紙より高価である。また、粘着剤層をラベル紙の裏面全体に形成しているため、粘着剤を部分的に付加すれば十分な場合であっても無駄に粘着剤が消費されてしまう。従って、粘着ラベルの作成コストが必要以上に高価になるという問題点もある。
【０００８】
本発明の課題は、このような問題点に鑑みて、粘着ラベルの作成において、プリンター内における紙ジャムや印刷不良を抑制できると共に、プリンターに大掛かりな発熱装置や粘着剤除去機構などを設ける必要がなく、メンテナンスの負担も少なく、低コストで粘着ラベルを作成可能な構成を提案することにある。
【課題を解決するための手段】
【０００９】
上記の課題を解決するために、本発明のプリンターは、
印刷位置を経由する搬送経路に沿って長尺の記録媒体を搬送する搬送機構と、
前記印刷位置において前記記録媒体に印刷を行う記録ヘッドと、
前記搬送経路における前記印刷位置の下流側の切断位置において前記記録媒体を切断するオートカッターと、
前記搬送経路における前記切断位置の下流側の転写位置において、当該転写位置を通過する前記記録媒体に剥離フィルムに塗布された粘着剤を転写する粘着剤転写機構と、
前記搬送経路における前記切断位置よりも上流側の第１搬送位置において前記記録媒体を搬送する第１搬送ローラーと、
前記転写位置において前記記録媒体を搬送する第２搬送ローラーと、
を有するプリンターであって、
前記粘着剤転写機構は、
前記剥離フィルムが粘着剤塗布面を外側に向けて掛け渡され、前記第２搬送ローラーと同軸状態に取り付けられている転写ローラーと、
当該転写ローラーに前記剥離フィルムを繰り出す供給部と、
前記転写ローラーを経由した前記剥離フィルムを巻き取る巻き取り部と、
前記転写ローラーのローラー面に対峙している押圧部材を当該ローラー面に向けて前進または後退させることにより、前記粘着剤塗布面に前記記録媒体を圧接する圧接状態、および、前記粘着剤塗布面に前記記録媒体を圧接しない非圧接状態を形成する押圧機構とを備え、
前記第１搬送ローラーと前記第２搬送ローラーは連動して回転し、前記第２搬送ローラーと前記転写ローラーが一体回転することを特徴としている。
【００１０】
本発明のプリンターは、このように、オートカッターによる自動切断位置を通過した後に記録媒体に粘着剤を付加することができるため、予め接着剤が付加された高価な記録媒体を用いる必要がなく、廉価な普通紙を用いて粘着ラベルを作成できる。また、このような構成では、記録ヘッドやオートカッター、および、転写位置よりも上流側の搬送経路に粘着剤が付着したり剥離成分が堆積することがない。従って、粘着剤や剥離成分に起因する紙ジャムや印刷障害などの防止のために、これらの装置部分に非粘着処理を施す必要がない。また、糊撤去などのための機構を設けたり、粘着剤撤去のための定期的なメンテナンスを行う必要もない。更に、記録媒体に塗布しておいた粘着剤を加熱によって活性化する構成などのように、大掛かりな加熱機構や電源を設ける必要もない。よって、プリンターの装置コストを削減して装置をコンパクトにすることができ、メンテナンスの負担も軽減できる。
【００１１】
本発明において、前記粘着剤転写機構として、前記搬送経路における前記切断位置の下流側の転写位置において、当該転写位置を通過する前記記録媒体に剥離フィルムに塗布された粘着剤を転写する転写機構を用いることができる。このような方法によれば、均一な粘着剤層を形成できる。
【００１２】
このとき、前記転写機構として、前記転写位置を通過する前記記録媒体にローラー面を向けて回転自在に取り付けられ、当該ローラー面に、帯状の前記剥離フィルムが粘着剤塗布面を外側に向けて掛け渡される転写ローラーと、当該転写ローラーに前記剥離フィルムを繰り出す供給部と、前記転写ローラーを経由した前記剥離フィルムを巻き取る巻き取り部と、前記転写ローラーのローラー面に対峙している押圧部材を当該ローラー面に向けて前進または後退させることにより、前記粘着剤塗布面に前記記録媒体を圧接する圧接状態、および、前記粘着剤塗布面に前記記録媒体を圧接しない非圧接状態を形成する押圧機構とを備える構成にすることができる。このように、粘着剤を塗布したテープ状の剥離フィルムを転写位置に供給して使用後に巻き取るようにすれば、粘着剤の供給が容易である。また、押圧機構の駆動タイミングを制御することにより、粘着剤の転写位置および転写面積を制御できる。
【００１３】
この場合に、前記搬送経路における前記転写位置の上流側に配置された記録媒体検出用のセンサーと、当該センサーの検出結果に基づき、前記押圧機構を前記圧接状態あるいは前記非圧接状態に切り換える制御部とを備える構成にすることができる。このようにすれば、センサーの検出出力に基づいて記録媒体の搬送位置を把握できるので、粘着剤の転写位置およびその転写面積を適切に制御できる。
【００１４】
また、前記制御部により、前記押圧機構を前記圧接状態と前記非圧接状態に所定時間毎に交互に切り換える構成にしてもよい。このようにすれば、記録媒体に一定間隔で粘着剤の転写部分を形成できる。よって、粘着剤を節約でき、粘着力を調整できる。
【００１５】
ここで、本発明において、前記搬送経路における前記切断位置よりも上流側の第１搬送位置において前記記録媒体を搬送する第１搬送ローラーと、前記転写位置において前記記録媒体を搬送する第２搬送ローラーと、当該第２搬送ローラーを前記第１搬送ローラーの回転に連動して回転させる伝動機構とを有する構成にすることができる。このような構成では、転写位置で記録媒体を搬送できるため、記録媒体への粘着剤の塗布およびプリンターからの排出を確実に行うことができる。また、切断済みの記録媒体片を第２搬送ローラーによって搬送できるため、切断後の記録媒体片に対する粘着剤の塗布およびプリンターからの排出を確実に行うことができる。また、搬送用の駆動源を第１搬送ローラーと共通化できるため、構成を簡素化できる。
【００１６】
このとき、前記転写ローラーに前記第２搬送ローラーが同軸状態に取り付けられ、前記転写ローラーと前記第２搬送ローラーが一体回転する構成にすることができる。このようにすれば、記録媒体の搬送動作と転写ローラーによる転写動作を同期させて行うことができるため、粘着剤の転写不良などが発生しにくい。
【００１７】
また、この場合に、前記第２搬送ローラーを前記第１搬送ローラーの回転に連動して回転させる接続状態と、前記第２搬送ローラーを前記第１搬送ローラーの回転に連動させない非接続状態と、に切換可能なクラッチ手段を備えることが望ましい。このようにすれば、第１搬送ローラーが停止しているときに第２搬送ローラーを回転自在にすることができるため、切断済みの記録媒体片を手動で引っ張って排出させることができる。また、第１搬送ローラーで記録媒体を逆送させるときにはクラッチ手段を非接続にしておくことにより、粘着剤付きの記録媒体の逆送および剥離フィルムの逆送を防止できる。また、粘着剤を転写をしないときにはクラッチ手段を非接続にしておくことにより、第２搬送ローラーおよび転写ローラーの空転によって未使用の剥離フィルムが無駄に巻き取られないようにすることができる。
【００１８】
本発明において、前記第２搬送ローラーは、前記転写ローラーを挟んで、前記転写ローラーの回転軸の一端側および他端側に取り付けられており、前記転写位置における前記記録媒体の幅方向の通過領域内に配置されている。このようにすれば、記録媒体の幅方向の両端が搬送ローラーに接触するため、記録媒体が幅方向に均等に搬送され、スキューなどの搬送不良が発生しにくい。また、記録媒体の幅方向の中央に粘着剤を塗布できる。
【００１９】
ここで、前記粘着剤転写機構を、プリンター本体における前記切断位置の下流側に着脱可能な粘着剤付加ユニットとして構成することもできる。このようにすれば、必要に応じて粘着剤付加機構を着脱できるため、レシート作成用のプリンターを粘着ラベル作成用のプリンターに転用でき、逆の転用も可能である。よって、ユーザーの利便性が高くなる。
また、構成の共通化による装置コストの削減も可能である。
【００２０】
また、本発明は、上記の各構成のプリンターが備える粘着剤付加ユニットである。
【００２１】
次に、本発明の粘着ラベルの作成方法は、
長尺の記録媒体をプリンター内の搬送経路に沿って搬送しながら、前記記録媒体の表面に印刷を行うと共に、印刷済みの前記記録媒体の部分を印刷位置の下流側において自動切断し、
当該自動切断の実施前、あるいは、自動切断の実施後に、前記搬送経路における前記記録媒体の切断位置の下流側において、転写ローラーに掛け渡された剥離フィルムの粘着剤塗布面に、前記記録媒体の裏面を圧接する圧接状態を形成し、
切断前の前記記録媒体を前記プリンターの搬送機構により自動搬送する動作、あるいは、切断済みの記録媒体片を手動で下流側へ引っ張る動作を行うことにより、前記圧接状態が維持されている間に前記転写位置を通過する前記記録媒体の部分に前記剥離フィルムの粘着剤を転写することを特徴としている。
【００２３】
本発明において、前記転写位置の上流側において前記記録媒体の有無を検出し、当該検出した前記記録媒体の有無に基づき、前記圧接状態および前記非圧接状態を形成することが望ましい。また、前記記録媒体が検出されている間は、前記転写位置において、前記圧接状態、および、前記粘着剤塗布面を前記記録媒体の裏面に圧接していない非圧接状態を所定時間毎に交互に形成することもできる。
【００２４】
また、本発明では、前記記録媒体として普通紙を用いることができる。これにより、予め接着剤が塗布された高価な記録媒体を用いずに、廉価な普通紙を用いて粘着ラベルを作成できる。よって、粘着ラベルの作成コストを従来よりも削減できる。また、粘着剤付加機構、例えば、転写機構を作動させずに印刷および切断を行うことにより、粘着部を形成していないレシートなども発行可能である。しかも、このとき、粘着ラベルとレシートの発行を同一の記録媒体で行うことができるため、記録媒体を交換することなく、粘着ラベルとレシートの発行を混在させて行うことが可能である。従って、ユーザーにとって極めて利便性が高い。
【発明の効果】
【００２５】
本発明は、このように、オートカッターによる自動切断位置を通過した後に記録媒体に粘着剤を付加することができるため、予め接着剤が付加された高価な記録媒体を用いる必要がなく、廉価な普通紙を用いて粘着ラベルを作成できる。また、このような構成では、記録ヘッドやオートカッター、および、転写位置よりも上流側の搬送経路に粘着剤が付着したり剥離成分が堆積することがない。従って、粘着剤や剥離成分に起因する紙ジャムや印刷障害などの防止のために、これらの装置部分に非粘着処理を施す必要がない。また、糊撤去などのための機構を設けたり、粘着剤撤去のための定期的なメンテナンスを行う必要もない。更に、記録媒体に塗布しておいた粘着剤を加熱によって活性化する構成などのように、大掛かりな加熱機構や電源を設ける必要もない。よって、プリンターの装置コストを削減して装置をコンパクトにすることができ、メンテナンスの負担も軽減できる。
【図面の簡単な説明】
【００２６】
【図１】本発明に係るプリンターの主要部分の断面構成を示す説明図である。
【図２】本発明に係るプリンターの主要部分の平面構成を示す説明図である。
【図３】プリンターの制御系の概略構成を示すブロック図である。
【図４】粘着ラベル作成時のプリンターの制御を示すフローチャートである。
【図５】粘着ラベル作成時のプリンターの各部の動作状態を示すタイミングチャートである。
【発明を実施するための形態】
【００２７】
以下に、図面を参照して、本発明を適用したプリンターおよび粘着ラベルの作成方法の実施の形態を説明する。
【００２８】
図１はプリンターの主要部分の断面構成を示す説明図、図２はプリンターの主要部分の平面構成を示す説明図である。図１、図２に示すように、プリンター１は、ロール紙装填部２、印刷機構３、オートカッター４などが配置されているプリンター本体部１Ａと、プリンター本体部１Ａの装置前面側に配置されている粘着剤転写部１Ｂを備えている。
【００２９】
印刷機構３は、記録ヘッド５およびこれと対峙するように配置されているプラテンローラー６（第１搬送ローラー）を備えている。本実施形態では、記録ヘッド５としてサーマルヘッドを用いている。ロール紙装填部２に装填されたロール紙７から引き出した記録紙Ｐを、記録ヘッド５およびプラテンローラー６によって規定される印刷位置Ａ（第１搬送位置）を通過するようにセットし、プラテンローラー６を回転させると、ロール紙７から印刷位置Ａに向かう方向に記録紙Ｐが搬送される。この搬送動作に連動して記録ヘッド５を駆動することにより、記録紙Ｐの表面に印刷が行われる。印刷済みの記録紙Ｐの部分は、図示しない紙案内部材などによってオートカッター４による切断位置Ｂに案内され、切断位置Ｂを通って搬送される。本実施形態では、記録紙Ｐとして、レシート等を印刷するための普通紙を用いている。なお、普通紙以外の素材の記録媒体を用いても良い。
【００３０】
オートカッター４は、プリンター本体部１Ａにおける粘着剤転写部１Ｂの接続位置に設けられている。記録紙Ｐは、印刷位置Ａおよび切断位置Ｂを経由するプリンター本体部１Ａ内の搬送経路８Ａに沿って搬送された後、粘着剤転写部１Ｂ内に導入される。そして、搬送経路８Ａと連続している粘着剤転写部１Ｂ内の搬送経路８Ｂに沿って搬送され、プリンター１の外部に排出される。
【００３１】
粘着剤転写部１Ｂには、搬送経路８Ｂに沿って搬送される記録紙Ｐに粘着剤を転写するための転写機構９（粘着剤付加機構）と、転写機構９による粘着剤の転写位置Ｃ（第２搬送位置）よりも上流側において記録紙Ｐの有無を検出するための紙検出センサー１０が設けられている。また、粘着剤転写部１Ｂには、プリンター本体部１Ａ側の記録紙搬送機構であるプラテンローラー６の回転に連動して記録紙Ｐを搬送可能な繰り出しローラー１１Ａ、１１Ｂが設けられている。
【００３２】
転写機構９は、転写位置Ｃにおける記録紙Ｐの裏面側（図１では図面上方側）に配置された転写ローラー１２を備えている。転写ローラー１２は、記録紙Ｐを横断する方向に延びる回転軸１３に固定されている。回転軸１３の両端はプリンター１の左右の側フレーム１４ａ、１４ｂに回転自在に支持されている。上記の繰り出しローラー１１Ａ、１１Ｂは、回転軸１３の一端側および他端側に転写ローラー１２を挟んで配置され、回転軸１３と一体回転するように取り付けられている。転写ローラー１２は、記録紙Ｐの幅方向の中央に配置されており、記録紙Ｐの左端部分および右端部分には繰り出しローラー１１Ａ、１１Ｂ（第２搬送ローラー）のローラー面が接触している。
【００３３】
また、転写機構９は、転写ローラー１２と平行な回転軸線に沿って回転自在に取り付けられた供給ドラム１５（供給部）および巻き取りドラム１６（巻き取り部）を備えている。供給ドラム１５には、未使用の粘着剤テープＴがロール状に巻かれた状態で装着される。粘着剤テープＴは、帯状の剥離フィルムの片面に粘着剤を塗布したものであり、粘着剤塗布面に記録紙Ｐを圧接することにより、記録紙Ｐに粘着剤を転写することができる。供給ドラム１５から引き出した粘着剤テープＴを、粘着剤塗布面を外側に向けて転写ローラー１２に掛け渡した後、巻き取りドラム１６との間に張り渡すと、粘着剤テープＴの粘着剤塗布面が、転写位置Ｃを通過する記録紙Ｐの裏面に対峙した状態となる。
【００３４】
供給ドラム１５から転写ローラー１２側に未使用の粘着剤テープＴが繰り出されるときには、供給ドラム１５と連動して回転する巻き取りドラム１６に、転写ローラー１２を通過した使用済みの粘着剤テープＴが巻き取られる。なお、供給ドラム１５と巻き取りドラム１６を連動回転させる機構（図示省略）は、供給側のロールの径が減少し、巻き取り側のロールの径が増大することによる供給ドラム１５と巻き取りドラム１６の回転量のずれに応じて、供給ドラム１５と巻き取りドラム１６の回転位置をずらしながら連動回転させるように構成されている。これにより、粘着剤テープＴの張力を適性状態にしておくことができる。また、転写位置Ｃに粘着剤テープＴを供給し使用済みの粘着剤テープＴを巻き取るための構成は、このような構成に限定されず、適宜変更することができる。
【００３５】
更に、転写機構９は、転写ローラー１２のローラー面を押圧するための押圧機構１７を備えている。この押圧機構１７は、転写ローラー１２のローラー面と対峙するように配置された加圧プラテン１８（押圧部材）と、加圧プラテン１８をローラー面側に向かう前進方向、およびローラー面から離れる後退方向に進退動させるプランジャー１９によって構成されている。プランジャー１９を駆動して加圧プラテン１８を転写ローラー１２側に前進させると、転写ローラー１２に掛け渡された粘着剤テープＴの粘着剤塗布面に記録紙Ｐの裏面が圧接された状態（圧接状態）を形成することができる。一方、加圧プラテン１８を転写ローラー１２から離す方向に移動させると、粘着剤テープＴに記録紙Ｐを圧接しない状態（非圧接状態）が形成される。
【００３６】
繰り出しローラー１１Ａ、１１Ｂが回転して記録紙Ｐが搬送されると、転写ローラー１２も一体回転し、記録紙Ｐと共に粘着剤テープＴも移動する。従って、圧接状態で記録紙Ｐが搬送されると、加圧プラテン１８と転写ローラー１２の間を記録紙Ｐおよび粘着剤テープＴが圧接状態で通過する。そして、この際に、粘着剤テープＴから記録紙Ｐに粘着剤が転写される。一方、非圧接状態では、記録紙Ｐが単に転写位置Ｃを通過するのみで粘着剤は転写されず、転写ローラー１２は搬送量に応じた回転量だけ空転する。
【００３７】
ここで、プラテンローラー６の回転軸６ａはプリンター１の左右の側フレーム１４ａ、１４ｂの間に回転自在に掛け渡されており、一方の側フレーム１４ｂの外側に紙送りモーター２０が配置されている。紙送りモーター２０の出力軸２０ａと、紙送りモーター２０の側に突出している回転軸６ａとの間には、出力軸２０ａの回転を所定の減速比で回転軸６ａに伝達する伝動歯車列２１（伝動機構）が設けられている。
【００３８】
一方、繰り出しローラー１１Ａ、１１Ｂの回転軸１３は、その一端が回転軸６ａと同様に側フレーム１４ｂの外側に突出しており、回転軸１３と出力軸２０ａとの間には、出力軸２０ａの回転を所定の減速比で回転軸１３に伝達するための伝動歯車列２２（伝動機構）と、伝動歯車列２２の出力歯車と回転軸１３との間に介在している電磁クラッチ２３（クラッチ手段）が設けられている。
【００３９】
電磁クラッチ２３を非接続状態に切り換えると、伝動歯車列２２の出力歯車の回転が回転軸１３に伝達されない状態となる。よって、この状態で紙送りモーター２０を駆動すると、プラテンローラー６のみが回転し、繰り出しローラー１１Ａ、１１Ｂは回転しない。一方、電磁クラッチ２３を接続状態に切り換えると、伝動歯車列２２の出力歯車の回転が回転軸１３に伝達される。よって、この状態で紙送りモーター２０を駆動すると、プラテンローラー６と繰り出しローラー１１Ａ、１１Ｂが連動して回転し、印刷位置Ａと転写位置Ｃの２箇所で記録紙Ｐが搬送される。
【００４０】
図３はプリンターの制御系の概略構成を示すブロック図である。プリンター１の制御系は、ＣＰＵおよびＲＯＭ、ＲＡＭなどの記憶領域を備えた制御部３０を中心に構成されている。制御部３０は図示しないホスト装置などと接続されており、ホスト装置から受信する印刷データやコマンドに基づいてプリンター１の各部を制御する。また、制御部３０には紙検出センサー１０の検出出力が入力されており、紙検出センサー１０の検出出力に基づいて記録紙Ｐの搬送位置を把握し、プリンター１の各部を制御する。
【００４１】
制御部３０は、受信した印刷データに基づいて紙送りモーター２０および記録ヘッド５を駆動し、記録紙Ｐへの印刷を行う。また、記録紙Ｐのカット位置が切断位置Ｂを通過するタイミングに応じてオートカッター４を駆動し、記録紙Ｐの切断を行う。更に、粘着剤を転写すべき記録紙Ｐの部分が転写位置Ｃを通過するタイミングで押圧機構１７のプランジャー１９を駆動し、圧接状態を形成する。また、制御部３０は、電磁クラッチ２３のオンオフを制御することにより、プリンター本体部１Ａおよび粘着剤転写部１Ｂにおける記録紙Ｐの搬送を適切に行う。
【００４２】
（粘着ラベル作成の制御）
図４は粘着ラベル作成時のプリンターの制御を示すフローチャートである。また、図５は粘着ラベル作成時のプリンターの各部の動作状態を示すタイミングチャートであり、図５（ａ）はプラテンローラー、図５（ｂ）は記録ヘッド、図５（ｃ）はオートカッター、図５（ｄ）は電磁クラッチ、図５（ｅ）は繰り出しローラーの各動作状態である。また、図５（ｆ）はユーザーによる粘着ラベルの手動取り出し動作の実行タイミングであり、図５（ｇ）は紙検出センサー、図５（ｈ）は押圧機構のプランジャー、図５（ｉ）は転写ローラーの各動作状態である。
【００４３】
プリンター１の制御部３０は、印刷データを受信すると、図４のフローチャートの処理を開始する。まず、プリンター本体部１Ａでは、ステップＳ１において、電磁クラッチ２３を接続状態に切り換える。続いて、ステップＳ２において、紙送りモーター２０を駆動開始して、プラテンローラー６を正転方向に回転開始させ、下流側に向けて記録紙Ｐの搬送を開始する。このとき、繰り出しローラー１１Ａ、１１Ｂも回転開始する。そして、記録紙Ｐの印刷領域が印刷位置Ａに到達すると、ステップＳ３に進む。ステップＳ３では、記録ヘッド５を駆動開始して、記録紙Ｐの搬送動作と連動させた記録紙Ｐへの印刷動作を開始する。
【００４４】
制御部３０は、ステップＳ２で記録紙Ｐの搬送動作を開始する一方で、並行して、粘着剤転写部１Ｂでの処理を開始する。具体的には、ステップＳ４において、一定時間毎に紙検出センサー１０の検出出力を監視する。紙検出センサー１０の検出出力が「紙有り」になったことを検出した場合には（ステップＳ４：Ｙｅｓ）、制御部３０は、ステップＳ２、Ｓ３で開始した搬送・印刷動作と並行して、押圧機構１７による圧接動作（ステップＳ５〜Ｓ８）を開始する。このとき、圧接動作を開始するタイミングは、紙検出センサー１０から転写位置Ｃまでの距離などに応じて適宜設定すればよい。
【００４５】
ステップＳ５〜Ｓ８では、制御部３０は、押圧機構１７を一定時間毎に圧接状態と非圧接状態に切り換える。まず、ステップＳ５において、プランジャー１９を駆動開始して押圧機構１７を圧接状態に切り換える。続いて、ステップＳ６に進み、圧接状態を維持したまま、設定時間が経過するまでタイマーを監視する。設定時間が経過したら（ステップＳ６：Ｙｅｓ）、ステップＳ７に進み、プランジャー１９の駆動を停止して、押圧機構１７を非圧接状態に切り換える。続いて、ステップＳ８に進み、非圧接状態を維持したまま、設定時間が経過するまでタイマーを監視する。設定時間が経過したら（ステップＳ８：Ｙｅｓ）、ステップＳ５に戻る。
【００４６】
制御部３０は、ステップＳ５を開始した後は、ステップＳ４における「紙有り」状態を検出するための監視処理を終了し、「紙無し」状態を検出するための監視処理（ステップＳ９）を開始する。そして、ステップＳ５〜Ｓ８の処理と並行してステップＳ９の監視処理を継続する。制御部３０は、紙検出センサー１０の検出出力が「紙無し」に切り換わるまではステップＳ５〜Ｓ８の処理を繰り返す。そして、紙検出センサー１０の検出出力が「紙無し」になったことを検出した場合には（ステップＳ９：Ｙｅｓ）、ステップＳ１０に進む。ステップＳ１０では、押圧機構１７による間欠的な押圧動作を終了して、押圧機構１７を非圧接状態に切り換える。
【００４７】
制御部３０は、上記のように、粘着剤転写部１Ｂにおける「紙有り」「紙無し」の検出処理、および、押圧機構１７による押圧動作を実行する一方、これと並行してプリンター本体部１Ａにおける印刷・搬送動作を続けている。制御部３０は、印刷データで指示された内容の印刷が終了したら、ステップＳ１１に進み、記録ヘッド５の駆動を終了する。続いて、ステップＳ１２に進み、オートカッター４による切断位置Ｂに記録紙Ｐのカット位置が位置決めされるまで記録紙Ｐを搬送し、記録紙Ｐの搬送を停止する。これにより、プラテンローラー６および繰り出しローラー１１Ａ、１１Ｂの回転が停止する。また、このとき、電磁クラッチ２３を非接続状態に切り換える。
【００４８】
次に、制御部３０は、ステップＳ１３に進み、記録紙Ｐのオートカット処理を実行する。続いて、ステップＳ１４に進み、印刷待機状態に入るか、あるいは、次の印刷を開始するための頭出し動作などのために、記録紙Ｐの逆送動作を行う。そして、プリンター本体部１Ａ側での処理を終了する。この逆送動作は、電磁クラッチ２３が非接続の状態で行われるため、粘着剤を転写済みの記録紙Ｐの部分は逆送されない。よって、転写位置Ｃよりも上流側の機構に粘着剤が付着せず、粘着剤による紙ジャムの発生を抑制できる。
【００４９】
なお、制御部３０は、ステップＳ１３、Ｓ１４のオートカット処理および逆送処理を、これらの処理を実行する旨のコマンドを受信している場合のみ実行することができる。この際、オートカット処理を実行していない場合には、逆送処理を行わないようにすることもできる。このようにすれば、粘着剤が転写された未切断の記録紙Ｐの部分が逆送されることがない。よって、紙ジャムの発生を抑制できる。
【００５０】
印刷済みの記録紙Ｐは、ステップＳ１２で紙送りモーター２０が停止されるまでは、プラテンローラー６および繰り出しローラー１１Ａ、１１Ｂの回転によって搬送される。そして、このとき、転写位置Ｃを通過する記録紙Ｐの部分に、ステップＳ５〜Ｓ８の圧接動作によって粘着剤が転写される。本実施形態では、圧接動作を間欠的に行っているため、粘着剤の転写が行われる期間と、粘着剤の転写が行われない期間が交互に繰り返される。従って、記録紙Ｐの裏面に粘着剤が一定間隔ごとに転写される。
【００５１】
また、本実施形態では、オートカッター４による自動切断以降は電磁クラッチ２３を非接続状態に切り換えている。このため、切断済みの記録紙片は、ユーザーが手動で引っ張り出すまでは、転写位置Ｃに引っかかった状態で保持される。従って、粘着剤が付いた記録紙片が、ユーザーが受け取る前に自動的にプリンター１から落下することがない。
【００５２】
ユーザーは、オートカッター４による切断後、図５（ｆ）に示すように、任意のタイミングで記録紙片の手動取り出し動作を行う。ここで、本実施形態では、紙検出センサー１０の検出出力が「紙無し」に切り換わるまでは、押圧機構１７による間欠的な圧接動作を継続している。つまり、オートカッター４による切断後、ユーザーが手動取り出し動作を行う前は、切断位置Ｂと転写位置Ｃとの間に記録紙Ｐが留まっているので、「紙有り」状態が継続しており、間欠的な圧接動作が継続されている。
【００５３】
従って、この状態で、ユーザーが記録紙片を手動で引き出すと、転写位置Ｃよりも上流側にあった記録紙片の後端部分が転写位置Ｃを通過し、この部分に、粘着剤が所定間隔で間欠的に転写される。従って、ユーザーが引き出した記録紙片は、前端から後端までの全範囲にわたって間欠的に粘着剤が塗布された粘着ラベルとして用いることができる。なお、この手動取り出し動作の際には、電磁クラッチ２３が非接続状態に切り換わっているため、繰り出しローラー１１Ａ、１１Ｂが従動回転する。よって、記録紙片が取り出し不能になることがない。そして、記録紙片の後端が紙検出センサー１０による検出位置を通過すると、上記のステップＳ１０で説明したように、押圧機構１７が非圧接状態に切り換わる。従って、記録紙片の後端が転写位置Ｃを通過終了する直前に粘着剤の転写が終了する。以上により、粘着剤転写部１Ｂにおける処理も終了する。
【００５４】
以上のように、本実施形態では、予め粘着剤が塗布されたラベル紙などの高価な記録媒体を用いずに、廉価な普通紙を用いて粘着ラベルを作成できる。よって、粘着ラベルの作成コストを従来よりも削減できる。また、転写機構９を非圧接状態で待機させたまま印刷および切断を行うことも可能である。このようにすれば、レシートなどを発行することもできる。このように、本実施形態では、粘着ラベルとレシートの発行を同一の記録紙Ｐ（普通紙）を装填したまま行うことができるため、極めて利便性が高い。
【００５５】
また、オートカッター４による切断位置Ｂを通過した後に記録紙Ｐに粘着剤を転写する本実施形態の構成では、記録ヘッド５やオートカッター４、および、転写位置Ｃよりも上流側の搬送経路を構成する部材に粘着剤が付着したり剥離成分が堆積することがない。従って、粘着剤や剥離成分に起因する紙ジャムや印刷障害などの防止のために、これらの装置部分に非粘着処理を施す必要がない。また、粘着剤撤去などのための機構を設けたり、粘着剤撤去のための定期的なメンテナンスを行う必要もない。更に、記録紙Ｐに塗布しておいた粘着剤を加熱によって活性化するための大掛かりな加熱機構や電源を設ける必要もない。よって、プリンター１の構成を簡素化でき、装置コストを削減できると共に、メンテナンスの負担も軽減できる。
【００５６】
（改変例）
（１）上記実施形態では、転写ローラー１２を回転軸１３と一体回転するように取り付けていたが、転写ローラー１２を回転軸１３に対して回転自在に取り付けても良い。このようにすると、圧接状態を形成して記録紙Ｐを搬送したときに、圧接力によって記録紙Ｐに張り付いた粘着剤テープＴが記録紙Ｐと共に下流側に引っ張られて移動し、このとき、粘着剤テープＴが巻き付いた転写ローラー１２が従動回転する。従って、転写ローラー１２を回転軸１３と一体回転させている場合と同様に、粘着剤の転写を行うことができる。更に、転写ローラー１２を回転軸１３に対して回転自在にした場合には、非圧接状態のときに転写ローラー１２が空転せず停止している。このため、粘着剤が転写されないにもかかわらず、粘着剤テープＴが巻き取られてしまうことがない。従って、粘着剤テープＴの無駄な消費を抑制できる。
【００５７】
（２）上記実施形態では、押圧機構１７を一定時間毎に圧接状態と非圧接状態に切り換えていたが、記録紙片における粘着剤の転写位置および転写範囲に応じて、切り換えタイミングを適宜変更することができる。このようにすれば、粘着剤の転写位置および転写範囲を適宜変更することができる。例えば、圧接期間を長くし、非圧接期間を短くすることにより、粘着剤の転写面積を多くすることができる。また、記録紙片の前端と後端のみに粘着剤を転写したり、記録紙片の中央のみに粘着剤を転写するなどのように、部分的にのみ粘着剤を転写することも可能である。また、上記実施形態では、記録紙Ｐを切断位置Ｂに位置決めして停止させた後も間欠的な押圧動作を継続しているが、停止後は圧接状態を維持させるようにしておき、「紙無し」が検出されたら非圧接状態に切り換えるようにしてもよい。このようにすれば、停止している状態の記録紙片に対して無駄に間欠的な圧接動作が行われることがなくなる。
【００５８】
（３）上記実施形態では、サーマルヘッドとプラテンローラーからなる印刷機構３を用いているが、インクジェット方式の印刷機構を用いることもできる。この場合には、プリンター本体部１Ａに、印刷機構とは別途に搬送ローラーを設けておくことが望ましい。
【００５９】
（４）上記実施形態の粘着剤転写部１Ｂは、剥離テープに塗布した粘着剤を用いて、記録媒体に粘着剤を転写するものであったが、転写以外の方法によって記録紙Ｐに粘着剤を付加する粘着剤付加機構を用いてもよい。例えば、ロールコーターのような粘着剤塗布機構、あるいは、粘着剤を滲出させた被圧接面に記録紙Ｐを圧接するスタンプ機構などを備える粘着剤付加機構を用いても良い。
【００６０】
（５）上記実施形態の粘着剤転写部１Ｂを、プリンター本体部１Ａに対して着脱可能な粘着剤転写ユニットとして構成してもよい。また、転写以外の方法によって記録紙Ｐに粘着剤を付加する粘着剤付加機構を、プリンター本体部１Ａに対して着脱可能な粘着剤付加ユニットとして構成してもよい。このとき、着脱位置は、オートカッター４による切断位置Ｂの下流側とする。このようにすれば、必要に応じて、レシート作成用のプリンターを粘着ラベル作成用のプリンターに転用でき、逆の転用も可能である。よって、構成の共通化による装置コストの削減が可能になり、ユーザーの利便性も高い。
【符号の説明】
【００６１】
１…プリンター、１Ａ…プリンター本体部、１Ｂ…粘着剤転写部、２…ロール紙装填部、３…印刷機構、４…オートカッター、５…記録ヘッド、６…プラテンローラー（第１搬送ローラー）、６ａ…回転軸、７…ロール紙、８Ａ…搬送経路、８Ｂ…搬送経路、９…転写機構（粘着剤付加機構）、１０…紙検出センサー、１１Ａ、１１Ｂ…繰り出しローラー（第２搬送ローラー）、１２…転写ローラー、１３…回転軸、１４ａ、１４ｂ…側フレーム、１５…供給ドラム（供給部）、１６…巻き取りドラム（巻き取り部）、１７…押圧機構、１８…加圧プラテン（押圧部材）、１９…プランジャー、２０…紙送りモーター、２０ａ…出力軸、２１…伝動歯車列（伝動機構）、２２…伝動歯車列（伝動機構）、２３…電磁クラッチ（クラッチ手段）、３０…制御部、Ａ…印刷位置（第１搬送位置）、Ｂ…切断位置、Ｃ…転写位置（第２搬送位置）、Ｐ…記録紙（記録媒体）、Ｔ…粘着剤テープ
【図１】
0005601016.tif 000002
【図２】
0005601016.tif 000003
【図３】
0005601016.tif 000004
【図４】
0005601016.tif 000005
【図５】
0005601016.tif 000006